(57)【要約】【課題】  不等沈下することなく、安定性に優れていて、長期間の使用が可能であり、しかもフェンスの取り付けもでき、安全性にも優れている側溝付き擁壁を得ることを可能とする側溝ブロック付き擁壁ブロックおよびその設置工法を提供する。【解決手段】  天端の内面側が切欠され、かつその切欠部の側面がボルト嵌入部１４１を備えたプレート１４０にて囲繞されてフェンス用穴状部１３０が形成された擁壁ブロック１００と、前記ボルト嵌入部１４１に対応する長さのボルト２１０を突設した側溝ブロック２００とからなり、前記ボルト２１０を前記プレート１４０のボルト嵌入部１４１に嵌入、係止して、擁壁ブロック１００に側溝ブロック２００を一体化させる。【選択図】  図１
2005220695.tif 000002
【特許請求の範囲】
【請求項１】
天端の内面側が切欠され、かつその切欠部の側面がボルト嵌入部を備えたプレートにて囲繞されてフェンス用穴状部が形成された擁壁ブロックと、前記ボルト嵌入部に対応するボルトを突設した側溝ブロックとからなり、前記ボルトを前記プレートのボルト嵌入部に嵌入、係止して、擁壁ブロックに側溝ブロックを一体化させてなることを特徴とする側溝ブロック付き擁壁ブロック。
【請求項２】
擁壁ブロックの天端の内面側を切欠し、その切欠部の側面をボルト嵌入部を備えたプレートにて囲繞してフェンス用穴状部を形成する一方、側溝ブロックの外周面には、前記ボルト嵌入部に対応するボルトを突設し、前記ボルトを前記プレートのボルト嵌入部に嵌入、係止して、擁壁ブロックに側溝ブロックを一体化させることを特徴とする側溝ブロック付き擁壁ブロックの設置工法。
【請求項３】
前記擁壁ブロックには、複数のボルト嵌入部を長手方向に間隔をおいて形成する一方、前記側溝ブロックには、前記ボルト嵌入部の間隔と同じ間隔で複数のボルトを突設することを特徴とする請求項２記載の側溝ブロック付き擁壁ブロックの設置工法。
【発明の詳細な説明】
【技術分野】
【０００１】
本発明は、側溝ブロック付き擁壁ブロックとその設置工法に関するものである。
【背景技術】
【０００２】
従来、一般的には、先ず擁壁を設置し、次いで擁壁の底版上に盛り土し、転圧した後、その上に擁壁の天端部に隣接して道路側溝を据え付けていた。
【０００３】
しかしながら、側溝と擁壁を独立して隣接するように施工していたため、盛り土を十分に転圧しておいても、時間の経過とともに、盛り土の変動に伴って側溝が不等沈下して側溝内の水の流れに影響し、ところどころに水が溜まっていた。また、擁壁の天端と側溝との間には、十分なスペースがないため、安全を担保するフェンス用の支柱を取り付けることができなかった。
【発明の開示】
【発明が解決しようとする課題】
【０００４】
本発明は、上記のような従来の欠点を改善するものであって、盛り土の変動が生じても側溝ブロックは擁壁ブロックと一体化しているので、不等沈下することなく、安定性に優れていて、長期間の使用が可能であり、しかもフェンスの取り付けもでき、安全性にも優れている側溝付き擁壁を得ることを可能とし、しかも設置作業が簡易であって、迅速に作業が可能である側溝ブロック付き擁壁ブロックの設置工法の提供を目的とするものである。
【課題を解決するための手段】
【０００５】
本発明は、かかる目的を達成するものであって、請求項１の発明は、天端の内面側が切欠され、かつその切欠部の側面がボルト嵌入部を備えたプレートにて囲繞されてフェンス用穴状部が形成された擁壁ブロックと、前記ボルト嵌入部に対応するボルトを突設した側溝ブロックとからなり、前記ボルトを前記プレートのボルト嵌入部に嵌入、係止して、擁壁ブロックに側溝ブロックを一体化させてなることを特徴とする側溝ブロック付き擁壁ブロックである。
【０００６】
次に、請求項２記載の発明は、擁壁ブロックの天端の内面側を切欠し、その切欠部の側面をボルト嵌入部を備えたプレートにて囲繞してフェンス用穴状部を形成する一方、側溝ブロックの外周面には、前記ボルト嵌入部に対応するボルトを突設し、前記ボルトを前記プレートのボルト嵌入部に嵌入、係止して、擁壁ブロックに側溝ブロックを一体化させることを特徴とする側溝ブロック付き擁壁ブロックの設置工法である。
【０００７】
さらに、請求項３記載の発明は、前記擁壁ブロックには、複数のボルト嵌入部を長手方向に間隔をおいて形成する一方、前記側溝ブロックには、前記ボルト嵌入部の間隔と同じ間隔で複数のボルトを突設することを特徴とする請求項２記載の側溝ブロック付き擁壁ブロックの設置工法である。
【発明の効果】
【０００８】
本発明によれば、設置作業が簡易であって、迅速に作業が可能であり、しかも盛り土の変動が生じても側溝ブロックは擁壁ブロックと一体化しているので、不等沈下することなく、安定性に優れていて、長期間の使用が可能であり、しかもフェンスの取り付けもでき、安全性にも優れている側溝付き擁壁を得ることが可能であり、側溝の不等沈下を防止することができるので、漏洩或いは滞留を防ぎ、順調な水流の確保を可能とすることできる。
【発明を実施するための最良の形態】
【０００９】
以下、図面に従って本発明の側溝ブロック付き擁壁ブロックとその設置工法について詳述する。
【００１０】
図１〜８において、１は本発明の側溝ブロック付き擁壁ブロックであって、該側溝付き擁壁１は、擁壁ブロック１００とその天端に一体化可能な側溝ブロック２００とで主として形成されている。
【００１１】
擁壁ブロック１００の形状は、図示のＬ字形のほか各種の形状とすることができる。
擁壁ブロック１００の立ち壁１１０の天端の内面側は、図１〜図６に示すように、切欠されており、その切欠部の側面がプレート１４０にて囲繞されてフェンス用支柱３００の挿入用の穴状部１３０が形成されている。プレート１４０の固定は、各種の固定具にて固定可能であり、特に図６に示すように、プレート１４０の両端部を延長（屈曲も可）して立ち壁１１０の天端の内面側内に埋め込んでおくことが強度や設置作業の面で望ましい。補強筋１５０を取り付けて補強しておくことが望ましい。また、図８に示すように、プレート１４０は、切欠部を形成する略コ字状部材とともに鉄製等のカップ状物を形成しておき、立ち壁１１０の天端の内面側内に埋め込むことによって固定することもできる。なお、前記切欠部の形状は、図１〜図６に示すように、立ち壁１１０の上面の一部及び内側の一部を略直方体状に切欠することにより、擁壁上にフェンスを取り付けることが可能となり、転落防止に寄与し、安全性を確保できる。穴状部１３０は、図３，５に示すようにコストや強度を考慮して長手方向に適当な間隔を置いて形成されていることが望ましい。
【００１２】
プレート１４０は、図４などに示すように、後述の側溝ブロック２００に設けたボルト２１０を嵌入することが可能なボルト嵌入部１４１を備えている。ボルト嵌入部１４１は、ボルト２１０の軸部を嵌入して係止することの可能な形状であって、例えばボルト２１０の頭部より小さく、かつボルト２１０の軸部より大きい略半円状の嵌入部とボルトを容易に滑り落とすための略三角形状のガイド部１４２により構成されていることが望ましい。
【００１３】
側溝ブロック２００の形状は、図示のＵ字形のほか各種の形状とすることができる。
側溝ブロック２００には、その片側の側面に前記ボルト嵌入部１４１に対応する位置や長さのボルト２１０が突設されている。側溝ブロック２００は、前記ボルト嵌入部１４１の間隔と同じ間隔で複数のボルト２１０を突設してあることが望ましい。これにより、二つの擁壁ブロック１００間に渡って側溝ブロック２００を一体化することができ、連接された各擁壁ブロック１００及び側溝ブロック２００を堅固に固定できる。
【００１４】
以下、側溝ブロック付き擁壁ブロックの設置工法について述べることとする。
前記擁壁ブロック１００を所定の位置に連続して据え付け、形成された擁壁の内側の底板１２０の上に所定の高さになるように盛り土し、転圧する。次に、前記側溝ブロック２００をクレーンで吊り上げ、擁壁の天端部のボルト嵌入部１４１にボルト２１０が嵌合するように下ろしてゆき、略三角形状のガイド１４２に滑らせるようにしてプレート１４０のボルト嵌入部１４１にボルト２１０を嵌入する。その後、ボルト２１０を締め付けてプレート１４０に圧接、固定する。なお、隣接する擁壁ブロックにおいて、これらのボルト嵌入部１４１は、同じ擁壁ブロック内のボルト嵌合部間と同距離におくことにより、Ｕ形側溝ブロックを両擁壁ブロックに係るように設置することも可能である。最後に図２，４，６に示すように、穴状部１３０のボルト２１０を設けていない個所に、フェンス用支柱３００を差し込み、フェンス用支柱３００の周りにモルタル等を充填して固定する。
【図面の簡単な説明】
【００１５】
【図１】本発明に係る側溝ブロック付き擁壁ブロックの一実施例を示す施工図である。
【図２】図１の施工後の側溝ブロック付き擁壁ブロックの断面図である。
【図３】図１の施工前の擁壁ブロックの正面図である。
【図４】図３の擁壁ブロックの穴状部を示す要部拡大図である。
【図５】図３の擁壁ブロックの平面図である。
【図６】図５の擁壁ブロックの穴状部を示す要部拡大図である。
【図７】図４の擁壁ブロックのプレートを示す正面図である。
【図８】プレートの他の固定手段を示す斜視図である。
【符号の説明】
【００１６】
１  側溝ブロック付き擁壁ブロック
１００  擁壁ブロック
１１０  立ち壁
１２０  底板
１３０  穴状部
１４０  プレート
１４１  ボルト嵌入部
１４２  ガイド
１５０  補強筋
２００  側溝ブロック
２１０  ボルト
３００  フェンス用支柱
【図１】
2005220695.tif 000003
【図２】
2005220695.tif 000004
【図３】
2005220695.tif 000005
【図４】
2005220695.tif 000006
【図５】
2005220695.tif 000007
【図６】
2005220695.tif 000008
【図７】
2005220695.tif 000009
【図８】
2005220695.tif 000010